(57)【要約】【課題】  複数の気筒を備えたシリンダヘッド４に，前記各気筒の吸気弁７又は排気弁８に対する油圧式ラッシュアジャスタ１１，１２を設ける一方，前記シリンダヘッドの上面１５に，カム軸１８，１９を軸支したカムキャリヤ１６を取付けて成る多気筒内燃機関において，前記油圧式ラッシュアジャスタに油圧と一緒に空気が供給されることを，大型化を招来することなく，確実に回避する。【解決手段】  前記シリンダヘッドにおける上面のうち前記カムキャリヤの下面が合わさる部分に，潤滑油供給源からの油圧供給通路２２と，前記油圧式ラッシュアジャスタへの油圧出口通路２３，２４とを開口し，前記シリンダヘッドの上面と前記カムキャリヤの下面との合わせ面に，前記油圧供給通路と前記油圧出口通路とを連通する油圧溝２５と，この油圧溝内からの空気抜き手段２６とを設ける。【選択図】                        図１
2006194154.tif 000002
【特許請求の範囲】
【請求項１】
複数の気筒を備えたシリンダヘッドに，前記各気筒における吸気弁及び排気弁を設けるとともに，前記吸気弁及び排気弁のうちいずれか一方又は両方に対する油圧式ラッシュアジャスタを設ける一方，前記シリンダヘッドの上面に，前記吸気弁及び排気弁を開閉するカム軸を軸支したカムキャリヤを取付けて成る多気筒内燃機関において，
前記シリンダヘッドにおける上面のうち前記カムキャリヤの下面が合わさる部分に，潤滑油供給源からの油圧供給通路と，前記各気筒における油圧式ラッシュアジャスタへの油圧出口通路とを開口し，前記シリンダヘッドの上面と前記カムキャリヤの下面との合わせ面に，前記油圧供給通路と前記油圧出口通路とを連通する油圧溝と，この油圧溝内からの空気抜き手段とを設けることを特徴とする多気筒内燃機関における油圧供給装置。
【発明の詳細な説明】
【技術分野】
【０００１】
本発明は，各気筒における吸気弁及び排気弁のいずれか一方又は両方に油圧式ラッシュアジャスタを備えて成る多気筒内燃機関において，前記各気筒における油圧式ラッシュアジャスタに油圧を供給するための装置に関するものである。
【背景技術】
【０００２】
一般に，各気筒における油圧式ラッシュアジャスタに，内燃機関における潤滑油を油圧として供給する場合，この潤滑油に空気が存在し，この空気が，潤滑油と一緒に前記油圧式ラッシュアジャスタに入ると，その作動を不能にする。
【０００３】
そこで，先行技術としての特許文献１は，潤滑油ポンプから前記油圧式ラッシュアジャスタに至る油圧経路の途中のうち前記油圧式ラッシュアジャスタより高い部位に，頂部に空気抜き孔を有する空気分離タンクを設けて，前記潤滑油ポンプからの潤滑油をこの空気分離タンク内の上部に導入して，これに含まれている空気を分離して頂部の空気抜き孔から放出する一方，前記空気分離タンク内で空気を分離したあとの潤滑油を前記空気分離タンクの下部から前記油圧式ラッシュアジャスタに対して供給するように構成することを提案している。
【特許文献１】特開平４−５４０６号公報
【発明の開示】
【発明が解決しようとする課題】
【０００４】
しかし，このように，油圧経路の途中のうち前記油圧式ラッシュアジャスタより高い部位に，頂部に空気抜き孔を有する空気分離タンクを設けることは，それだけ前記油圧式ラッシュアジャスタに対する油圧経路が複雑化するばかりか，前記空気分離タンクを設けるためのスペースを確保しなければならないから，大型化及び重量のアップを招来するという問題があった。
【０００５】
本発明は，最近の内燃機関においては，例えば，特開２０００−８７７１６号公報等に記載されているように，そのシリンダヘッドの上面に，カムキャリヤを着脱可能に取付け，このカムキャリヤに，吸気弁及び排気弁を開閉作動するためのカム軸を軸支するという構成が採用されていることに着目し，このカムキャリヤを利用して，前記した問題を解消することを技術的課題とするものである。
【課題を解決するための手段】
【０００６】
この技術的課題を達成するため本発明は，
「複数の気筒を備えたシリンダヘッドに，前記各気筒における吸気弁及び排気弁を設けるとともに，前記吸気弁及び排気弁のうちいずれか一方又は両方に対する油圧式ラッシュアジャスタを設ける一方，前記シリンダヘッドの上面に，前記吸気弁及び排気弁を開閉するカム軸を軸支したカムキャリヤを取付けて成る多気筒内燃機関において，
前記シリンダヘッドにおける上面のうち前記カムキャリヤの下面が合わさる部分に，潤滑油供給源からの油圧供給通路と，前記各気筒における油圧式ラッシュアジャスタへの油圧出口通路とを開口し，前記シリンダヘッドの上面と前記カムキャリヤの下面との合わせ面に，前記油圧供給通路と前記油圧出口通路とを連通する油圧溝と，この油圧溝内からの空気抜き手段とを設ける。」
ことを特徴としている。
【発明の効果】
【０００７】
この構成において，潤滑油ポンプ等の潤滑油供給源からの潤滑油は，前記油圧供給通路から油圧溝に上向きに流入し，この油圧溝をその長手方向に流れたのち油圧出口通路から下向きに流出して，各気筒における油圧式ラッシュアジャスタに供給される。
【０００８】
つまり，潤滑油は，油圧供給通路から油圧溝に上向きに流入したのち油圧溝から油圧出口通路に下向きに流出するというように，逆Ｕ字状に流れることにより，前記油圧溝内を流れるときにおいて，当該潤滑油に含まれている空気は，潤滑油から浮上分離して空気抜き手段より放出されるから，前記各気筒における油圧式ラッシュアジャスタに対して潤滑油と一緒に空気が供給されるのを確実に防止することができる。
【０００９】
この場合，潤滑油からの空気の分離を行う油圧溝及び空気抜き手段は，シリンダヘッドの上面と，この上面に対して取付けられるカムキャリヤの下面との合わせ面に設けられており，換言すると，前記シリンダヘッドの上面と前記カムキャリヤの下面との合わせ面に，前記空気分離用の油圧溝と，この油圧溝からの空気抜き手段とが設けられていることにより，この油圧溝，この油圧溝に対する空気抜き手段、油圧供給通路及び油圧出口通路を設けるためのスペースを，別に確保する必要がなく，しかも，油圧経路の構成を簡単にできるから，大型化及び重量がアップすることを，シリンダヘッドの上面にカムキャリヤを取付けることを利用して，確実に回避できる。
【発明を実施するための最良の形態】
【００１０】
以下，本発明の実施の形態を図面について説明する。
【００１１】
図１〜図５は，第１の実施の形態を示す。
【００１２】
この図において，符号１は，複数個の気筒２をクランク軸線３の方向に並べて設けて成るシリンダブロックを，符号４は，前記シリンダブロック１の上面に締結して成るシリンダヘッドを各々示す。
【００１３】
前記シリンダヘッド４には，前記気筒２への吸気ポート５及び気筒２からの排気ポート６が各気筒２ごとに設けられているとともに，前記吸気ポート５に対する吸気弁７及び前記排気ポート６に対する排気弁８が各気筒２ごとに設けられている。
【００１４】
前記吸気弁７及び排気弁８は，その各々に設けたばね９，１０にて常時閉に保持され，その上端には，一端を前記シリンダヘッド４に設けた油圧式ラッシュアジャスタ１１，１２にて枢支されたロッカアーム１３，１４が接当している。
【００１５】
また，前記シリンダヘッド４の頂部には，平面状の上面１５が，当該頂部における全周囲を囲うように形成され，この上面１５には，枠型に構成したカムキャリヤ１６が，図示しない複数本のボルトにて着脱可能に取付けられており，このカムキャリヤ１６における下面と前記シリンダヘッド４における上面１５との間には，シール用のガスケット１７が介挿されている。また，前記カムキャリヤ１６における上面には，ヘッドカバー２７が着脱可能に取付けられている。
【００１６】
前記カムキャリア１６には，前記吸気弁用カム軸１８と，前記排気弁用カム軸１９とがクランク軸線３と平行に延びるように軸支され，この両カム軸１８，１９の一端は，前記シリンダヘッド４における一端面４ａに取付けたチエンケース２０内に突出され，この両カム軸１８，１９に，前記クランク軸における回転を，前記チエンケース２０内に配設したタイミングチエン２１を介して伝達するように構成する一方，前記吸気弁用カム軸１８におけるカム１８ａを前記吸気弁７に対するロッカアーム１３に，前記排気弁用カム軸１９におけるカム１９ａを前記排気弁８に対するロッカアーム１４に各々接当することにより，前記吸気弁７及び排気弁８を，前記両カム軸１８，１９の回転にて開閉するように構成している。
【００１７】
前記シリンダヘッド４には，前記シリンダブロック１等に取付けられている潤滑油ポンプ（図示せず）等の潤滑油供給源からの油圧供給通路２２と，前記吸気弁用の各油圧式ラッシュアジャスタ１１に至る油圧出口通路２３と，前記排気弁用の各油圧式ラッシュアジャスタ１２に至る油圧出口通路２４とが設けられ，これら油圧供給通路２２及び両油圧出口通路２３，２４は，前記シリンダヘッド４における上面１５のうち前記チエンケース２０に隣接する部分に開口している。
【００１８】
更に，前記シリンダヘッド４における上面のうち前記チエンケース２０に隣接する部分には，前記油圧供給通路２２と前記両油圧出口通路２３，２４との相互間を連通する油圧溝２５を設けるとともに，空気抜き手段の一例としての浅い空気抜き溝２６を前記チエンケース２０内に開口するように設けて，この油圧溝２５及び空気抜き溝２６を，前記上面１５に対して取付けられる前記カムキャリア１６にて密閉するように構成する。
【００１９】
この構成において，潤滑油ポンプ等の潤滑油供給源からの潤滑油は，前記油圧供給通路２２から油圧溝２５に上向きに流入し，この油圧溝２５をその長手方向に流れたのち両油圧出口通路２３，２４から下向きに流出して，各気筒における吸気弁用油圧式ラッシュアジャスタ１１と排気弁用油圧式ラッシュアジャスタ１２とに供給される。
【００２０】
つまり，潤滑油は，油圧供給通路２２から油圧溝２５に上向きに流入したのち油圧溝２５から両油圧出口通路２２，２３に下向きに流出するというように，逆Ｕ字状に流れることにより，前記油圧溝２５内を流れるときにおいて，当該潤滑油に含まれている空気は，潤滑油から浮上分離して空気抜き溝２６より放出されるから，前記各気筒における油圧式ラッシュアジャスタ１１，１２に対して潤滑油と一緒に空気が供給されるのを確実に防止することができる。
【００２１】
この場合において，前記空気抜き溝２６からは，潤滑油の一部が空気と一緒に前記チエンケース２０内に噴出するが，前記空気抜き溝２６から前記チエンケース２０内に噴出した潤滑油は，前記チエンケース２０内に配設されているタイミングチエン２１の潤滑に供される。
【００２２】
なお，前記実施の形態は，シリンダヘッド４の上面１５に設けた空気抜き溝２６を，空気抜き手段にした場合であったが，これに限らず，図６に示す第２の実施の形態のように，前記シリンダヘッド４の上面１５と前記カムキャリア１６との間に介挿されるシール用のガスケット１７に切り開き溝１７ａを設けて，この切り開き溝１７ａを，前記空気抜き手段にしたり，或いは，前記シリンダヘッド４の上面１５と前記カムキャリア１６との間におけるシールを，液体シール剤にて行う場合には，図７に示す第３の実施の形態のように，この液体シール剤２８を，前記シリンダヘッド４の上面１５のうち適宜長さＬの部分だけ塗布しないようにして，この適宜長さＬの塗布しない部分に隙間を形成することによって，前記空気抜き手段にしたりすることができるのであり、この場合、空気抜き量の設定は、前記シリンダヘッド４の上面１５又は前記カムキャリア１６の下面のうち前記液体シール剤２８を塗布していない部分における表面を粗さを変えることによって行うか、又は、前記液体シール剤２８を塗布しない部分における長さＬを増減することによって行うか、或いは、これらを適宜組み合わせることで行うように構成することができる。
【００２３】
これに加えて、前記した空気抜き手段は、前記チエンケース２０内にのぞむように設けることに代えて、シリンダヘッドの上面における動弁機構室内にのぞむように設けても良い。
【００２４】
また，前記実施の形態は，前記油圧供給通路２２と前記両油圧出口通路２３，２４との相互間を連通する油圧溝２５を，前記シリンダヘッド４の上面１５側に設けた場合であったが，本発明は，これに限らず，この油圧溝２５を，前記カムキャリア１６の下面側に設けたり，或いは，前記シリンダヘッド４の上面１５と前記カムキャリア１６の下面との両方に跨がるように設けるという構成にしても良い。
【００２５】
しかし，前記油圧溝２５の全てを，前記図示の実施の形態のように，前記シリンダヘッド４の上面１５側に設けた場合には，この油圧溝２５における天井面が，前記シリンダヘッド４の上面１５と前記カムキャリア１６の下面との合わせ面に設けられる前記空気抜き溝２６，又は切り開き溝１７ａ等の空気抜き手段と略同じ高さに位置する一方，前記天井面に，潤滑油中の空気が浮上分離して集まることになって，この天井面に浮上分離した空気を，前記空気抜き手段から速やかに且つ確実に放出できるから，空気の分離性を更に高くできるという利点がある。
【図面の簡単な説明】
【００２６】
【図１】第１の実施の形態を示す縦断正面図で図２のＩ−Ｉ視断面図である。
【図２】図１の平面図である。
【図３】図２のIII −III 視断面図である。
【図４】図２のIV−IV視拡大断面図である。
【図５】第１の実施の形態における要部の分解斜視図である。
【図６】第２の実施の形態における要部の分解斜視図である。
【図７】第３の実施の形態における要部の分解斜視図である。
【符号の説明】
【００２７】
１                          シリンダブロック
２                          気筒                                                ３                          クランク軸線
４                          シリンダヘッド
１５                        シリンダヘッドの上面
７                          吸気弁
８                          排気弁
１１，１２                  油圧式ラッシュアジャスタ
１３，１４                  ロッカアーム
１６                        カムキャリア
１７                        ガスケット
１８，１９                  カム軸
２０                        チエンケース
２１                        タイミングチエン
２２                        油圧供給通路
２３，２４                  油圧出口通路
２５                        油圧溝
２６                        空気抜き溝
１７ａ                      切り開き溝
【図１】
2006194154.tif 000003
【図２】
2006194154.tif 000004
【図３】
2006194154.tif 000005
【図４】
2006194154.tif 000006
【図５】
2006194154.tif 000007
【図６】
2006194154.tif 000008
【図７】
2006194154.tif 000009